(57)【要約】ビデオ信号を表示する装置（５）の表示設定を変更する方法が、第１限度と第２限度との間で前記表示設定を規定する第１表示パラメータの値を変更することによって新しい表示設定を生成するステップと、前記新しい表示設定に基づいて画面（６）上に画像を表示するステップと、与えられるコマンドに基づいて前記表示設定を前記新しい表示設定に置き換えるステップとを有する。前記新しい表示設定は、前記第１表示パラメータの値と同時に前記表示設定を規定する少なくとも１つの他の表示パラメータの値を変更することによって生成される。表示装置（５）は、或る表示設定に基づいて前記ビデオ信号を処理する表示制御器（２）を有する。前記表示制御器（２）は、第１表示パラメータの値を変更し、少なくとも１つの他の表示パラメータの値を変更することによって新しい表示設定を生成することが出来る。
2005506767.tif 000002
【特許請求の範囲】
【請求項１】
ビデオ信号を表示する装置の表示設定を変更する方法であり、第１限度と第２限度との間で前記表示設定を規定する第１表示パラメータの値を変更することによって新しい表示設定を生成するステップと、前記新しい表示設定に基づいて画面上に画像を表示するステップと、与えられるコマンドに基づいて前記表示設定を前記新しい表示設定に置き換えるステップとを有する方法であって、前記新しい表示設定が、前記第１表示パラメータの値と同時に前記表示設定を規定する少なくとも１つの他の表示パラメータの値を変更することによって生成されることを特徴とする方法。
【請求項２】
前記他の表示パラメータの各々の値が、該他の表示パラメータと前記第１表示パラメータとの間の予め規定された関係に基づいて同時に変更されることを特徴とする請求項１に記載の方法。
【請求項３】
第１表示パラメータ及び他の表示パラメータの値の組み合わせを含むルックアップテーブルを参照するステップを有することを特徴とする請求項１乃至２のいずれか一項に記載の方法。
【請求項４】
表にされた前記値及び前記第１パラメータの値から前記他の表示パラメータの値を計算するステップを更に有することを特徴とする請求項３に記載の方法。
【請求項５】
前記第１パラメータの表にされた値の間にある第１パラメータ値に対する前記他の表示パラメータの値を計算するために補間アルゴリズムが用いられることを特徴とする請求項４に記載の方法。
【請求項６】
前記第１パラメータが明るさであることを特徴とする請求項１乃至５のいずれか一項に記載の方法。
【請求項７】
前記新しい表示設定が、前記パラメータ値をインクリメンタルに変更することによって変更され、前記画像が、或る時間間隔の間前記新しい表示設定に基づいて表示されることを特徴とする請求項１乃至６のいずれか一項に記載の方法。
【請求項８】
前記ビデオ信号の品質を決定するステップを更に有し、前記表示パラメータが前記ビデオ信号の品質の基づいて変更されることを特徴とする請求項１乃至７のいずれか一項に記載の方法。
【請求項９】
前記新しい表示設定への変更がなされる場合に警告が供給されることを特徴とする請求項１乃至８のいずれか一項に記載の方法。
【請求項１０】
前記第１パラメータ値が、前記第２限度に到達すると前記第１限度にリセットされることを特徴とする請求項１乃至９のいずれか一項に記載の方法。
【請求項１１】
請求項１乃至１０のいずれか一項に記載の方法を実行するよう適応されるモニタの表示を制御する表示制御器。
【請求項１２】
ビデオ信号受信機と、ユーザによって与えられるコマンドを介して変更可能な、複数の表示パラメータによって規定される或る表示設定に基づいてビデオ信号を処理する表示制御器と、処理された前記ビデオ信号を画面上の画像に変換する画像投影システムとを有し、前記表示制御器が、第１限度と第２限度との間で前記表示設定を規定する第１表示パラメータの値を変更することによって新しい表示設定を生成し、前記新しい表示設定に基づいて前記ビデオ信号を処理し、ユーザによって与えられるコマンドに基づいて前記表示設定を前記新しい表示設定に置き換えることが出来る表示装置であって、前記表示制御器が、前記第１表示パラメータの値と同時に前記表示設定を規定する少なくとも１つの他の表示パラメータの値を変更することによって前記新しい表示設定を生成するようプログラムされることを特徴とする表示装置。
【請求項１３】
前記ユーザによって与えられるコマンドを供給する単一のボタンを有することを特徴とする請求項１２に記載の表示装置。
【請求項１４】
タイマを更に有し、前記表示制御器が、前記単一のボタンが或る時間間隔にわたって押された後に前記新しい表示設定を生成するようプログラムされることを特徴とする請求項１３に記載の表示装置。
【請求項１５】
表示制御器にロードするのに適したフォーマットのコンピュータプログラムコードであって、前記プログラムをランする場合に、前記表示制御器が請求項１乃至１１のいずれか一項に記載の方法を実行することが出来るようなコンピュータプログラムコード。
【発明の詳細な説明】
【技術分野】
【０００１】
本発明は、ビデオ信号を表示する装置の表示設定を変更する方法であって、第１限度と第２限度との間で前記表示設定を規定する第１表示パラメータの値を変更することによって新しい表示設定を生成するステップと、前記新しい表示設定に基づいて画面上に画像を表示するステップと、与えられるコマンドに基づいて前記表示設定を前記新しい表示設定に置き換えるステップとを有する方法に関する。
【０００２】
更に、本発明は、ビデオ信号受信機と、ユーザによって与えられるコマンドを介して変更可能な、複数の表示パラメータによって規定される或る表示設定に基づいてビデオ信号を処理する表示制御器と、処理された前記ビデオ信号を画面上の画像に変換する画像投影システムとを有し、前記表示制御器が、第１限度と第２限度との間で前記表示設定を規定する第１表示パラメータの値を変更することによって新しい表示設定を生成し、前記新しい表示設定に基づいて前記ビデオ信号を処理し、ユーザによって与えられるコマンドに基づいて前記表示設定を前記新しい表示設定に置き換えることが出来る表示装置に関する。
【背景技術】
【０００３】
米国特許公報第US-A-5 828 351号は上記の種類の方法及び表示装置を開示している。モニタ上の選択キーを押すことによって、表示機能が選択される。選択された表示機能と関連する表示パラメータ値は、表示を変更するよう自動的に変更される。調節キーが押される場合に、表示パラメータ値の変更は終わり、その結果、パラメータ値は調節キーを押すことによって修正される。
【０００４】
既知の方法は、画質を決定するために様々な表示パラメータがどのように相互に作用するのかをユーザに明らかにしない。１つのパラメータ値を変更したら、他の表示パラメータも調節することによって、より一層良好な画質を達成することが出来ることがユーザには明瞭でない。
【発明の開示】
【発明が解決しようとする課題】
【０００５】
本発明の目的は、改善された上記の種類の方法及び表示装置を提供することにある。
【課題を解決するための手段】
【０００６】
従って、本発明による方法は、新しい表示設定が、第１表示パラメータの値と同時に表示設定を規定する少なくとも１つの他の表示パラメータの値を変更することによって生成されることを特徴とする。
【０００７】
斯くして、ユーザは、表示設定を該ユーザの好みに合わせる場合に、画質における表示パラメータの組み合わせ効果を考慮に入れることが出来る。
【０００８】
本発明の側面によれば、他の表示パラメータの各々の値は、該他の表示パラメータと第１表示パラメータとの間の予め規定された関係に基づいて同時に変更される。
【０００９】
斯くして、許容可能な画質から懸け離れている表示パラメータ値の組み合わせは回避されることができ、調節プロセスを単純化し、短縮する。
【００１０】
本発明による表示装置は、表示制御器が、第１表示パラメータの値と同時に表示設定を規定する少なくとも１つの他の表示パラメータの値を変更することによって新しい表示設定を生成するようプログラムされることを特徴とする。
【００１１】
このようにして、表示装置のユーザは、同時に幾つかの表示パラメータ値を調節することが出来る。それ故、前記ユーザにとって最適なものを表わす組み合わせを選択するための別々の表示パラメータの値の変更及び帰納的選択(recursive selection)は必要でない。
【００１２】
本発明の側面によれば、表示装置はユーザによって与えられるコマンドを供給する単一のボタンを有する。
【００１３】
斯くして、前記装置に予め精通していないユーザに、表示設定を変更する単純明快な方法が提供される。このようなユーザは、ハンドブックを参照すること、又は試行錯誤のプロセスに頼る必要がない。
【００１４】
以下に、同封の図面を参照して本発明を更に詳細に説明する。
【発明を実施するための最良の形態】
【００１５】
図１は、本発明が実施される表示装置の幾つかの構成要素を非常に概略的に示している。これらの構成要素の中に、供給源からビデオ信号を受け取るチューナ１が示されている。供給源は、ＴＶアンテナ、衛星放送用パラボラアンテナ、ケーブル・ソース(cable source)、ビデオレコーダ、コンピュータ又はセットトップボックスなどであり得る。チューナ１は、ＴＶ信号のために用いられる規格、例えば、PAL/NTSC/SECAMのうちの１つに基づいて前記信号をビデオ信号に変換する。それは、次いで、直接的に、又はデジタルＴＶの場合には図示されていない復調器、デマルチプレクサ及び／若しくはデコンプレッサを介して、表示制御器２に渡される。
【００１６】
表示制御器２は、画面上の画像を生成する表示システムを制御するためにＴＶ信号を１つ以上の信号に変換するよう協働する幾つの別個の構成要素から成る処理回路、又は単一のチップのプロセッサであり得る。表示制御器２の識別可能な下位構成要素(sub-components)は、少なくともプロセッサ及びメモリを含む。利用可能なメモリは、ランダムアクセスメモリ及び読出し専用メモリから成り、ここで、読出し専用メモリは、プログラム可能なタイプのもの、例えばＥＥＰＲＯＭであり得る。ビデオ信号の処理などの機能は、メモリ中に命令のセットとして含まれる。
【００１７】
表示制御器２の機能に依存して、幾つかの他の構成要素が表示制御器２に取り付けられ得る。例えば、音声を処理する、テレテキスト・ページ又はオンスクリーンディスプレイを付加するなどのための構成要素が有り得る。構成要素は、好ましくは、バス、例えばＩＩＣバスを介して互いと通信する。
【００１８】
表示制御器２は、複数の表示パラメータによって規定される或る記憶された表示設定に基づいてビデオ信号を処理することが出来る。これらのパラメータの値は、ＴＶのユーザによって与えられるコマンドを介して変更され得る。これらのパラメータの例は、明るさ、コントラスト、彩度(saturation)などを含む。表示設定は、ビデオ信号がどのように画像に変換されるのかを決定する。表示設定は、以下により詳細に説明するような本発明による方法を用いて変更され得る。
【００１９】
画像を生成するために、表示制御器２からの出力信号はビデオ出力増幅器３に渡され、それは陰極線管４を制御する。この例においては、赤色、緑色及び青色のための３つの出力信号がある。表示制御器２からの出力信号は、既知の手段を介して画面上の画像に変換される。
【００２０】
図２は、テレビ５の正面図を示している。このテレビは図１の構成要素を有する。テレビ５は、画像が表示される画面６を持つ。これらの画像は、或る表示設定に基づいて処理された後のビデオ信号を変換することによって生成されている。表示設定は、テレビ５のユーザによって変更可能である。コマンドを発することにより、ユーザは、該ユーザの好みに基づいて画面６上の画像を調節するために、表示設定を規定する表示パラメータを変更することが出来る。
【００２１】
本発明によれば、テレビ５のユーザは、単一のボタンを介して表示設定を変更するためのコマンドを供給することが出来る。これにより、プロシージャ全体を通して１つのボタンしか用いられる必要がないようになっている。これは、テレビ５自体の上のボタン７、又はテレビ５に設けられる遠隔制御ユニット９上のボタン８であり得る。１つのボタン７又は８を用いる利点は、ユーザが表示設定を変更することが出来るようになるまでに非常に長い学習プロセスを経る必要がないことにある。試行錯誤又はユーザガイドの参照は必要ない。既知のシステムは、表示設定を変更するために異なる機能を持つ２つ以上のボタンを使用する。しばしば、１つのボタンが、調節プロシージャのユーザがいる段階に依存する２つ以上の機能を持つ。これは、常に、ユーザに混乱及び困難をもたらす。
【００２２】
表示制御器２は新しい表示設定を生成することができ、新しい表示設定は一時的にメモリ中に保持される。表示制御器２は、第１限度と第２限度との間で第１パラメータ、好ましくは明るさを変更することによって新しい表示設定を生成する。
【００２３】
ユーザが、ボタン７又は８のいずれか１つを押すことを介して表示設定が変更されるべきことを示したら、第１パラメータの値がインクリメントで変更される。各変更後、画面６上の画像は新しい設定を用いて表示される。
【００２４】
本発明の方法を用いると、表示制御器２は、１つ以上の他のパラメータ、例えばコントラスト及び彩度を同時に変更する。斯くして、表示制御器２は、一連の表示設定、即ち、表示パラメータ値の組み合わせを繰り返す。画像は、各変更後の新しい表示設定に基づいて表示される。ユーザが、現在用いられている新しい表示設定が該ユーザにとって最良であると決定した場合に、ユーザは単一のボタン７又は８を再び押す。画面６上に画像を表示するためにその時点に用いられた表示パラメータ値が、最初の表示設定に取って代わって記憶され、表示設定を変更するプロセスが終了する。ユーザは見続けることができ、この場合に、新しい表示設定がビデオ信号を処理するために用いられる。
【００２５】
本発明の好ましい実施例においては、新しい表示設定は、パラメータ値を第１限度から第２限度まで段階的にパラメータ値をインクリメントすることにより変更され、この場合に、表示設定が調節されるたびにアイコン１０が画面６上に現れる。このようにして、新しい表示設定への変更がなされる場合に警告が供給される。当然、ユーザに変更を知らせる他の方法も本発明の範囲内で用いられ得る。これらの手段は、例えば、オーディオ信号、テレビ５上のＬＥＤの点灯又は画面６における短期間のブランク画像の表示から成り得る。第２限度に達すると、第１パラメータの値は第１限度にリセットされる。これらの２つの方策の各々が、表示設定に対する調節の明瞭な表示をユーザに供給するのに役立つ。他の方法では、表示パラメータが新しい値をとっていること、又はユーザが現在の新しい表示設定を用いて生成された画像を既に見ていることが直ちに明瞭ではないかもしれない。
【００２６】
本発明による方法に含まれる幾つかのステップが示されている図３を参照して以下に本発明による方法を更に詳細に説明する。
【００２７】
好ましい実施例においては、この方法が偶発的に起動するのを防止するために４つのステップ１１乃至１４がある。この実施例においては、この方法が用いられているテレビ５は、単一のボタン７又は８が或る時間間隔にわたって押されるまで表示パラメータ値の変更を遅延させるタイマを有する。単一のボタン７又は８が十分に長く押し下げ続けられる場合にしか方法の実行は次のステップ１５に進まない。
【００２８】
随意の機能として、ソース信号を分析するステップを有する次のステップ１５が本発明による方法の一部であり得る。本発明のこの実施例においては、ビデオ信号の品質に基づいて表示パラメータを調節するために、ビデオ信号の品質が決定される。これは、様々な品質の信号に対して様々な値が表示パラメータのために用いられることができ、斯くして、ユーザにとってより好ましい画像を供給するという利点を持つ。不適切な表示設定は回避されることができ、斯くして、望ましい表示設定に到達するのに必要とされる時間を短縮する。第１パラメータ及び他のパラメータのより適当な組み合わせがユーザによる選択のために提供され得る。
【００２９】
次いで、第１パラメータの値、図３に例においては明るさの値が段階的に増大又は減少される。第１パラメータの各新しい値に対して他のパラメータのための適当な値が決定される。好ましい実施例においては、他の表示パラメータの値を計算するために予め規定された関係が用いられる。
【００３０】
本発明の好ましい実施例は、表示パラメータ値の最適組み合わせの経験的研究に基づく関係を用いる。斯くして、この方法は、許容可能な画質に達する見込みがこのようにして最も高いことから、大きなユーザグループによって用いられ得る。
【００３１】
予め規定された関係は表示制御器２のメモリ中にパラメータ値を関連づける関数として記憶され得る。様々なビデオ信号品質に対して様々な表示設定が用いられる場合には、様々な関数も用いられ得る、即ち、パラメータの値の範囲が限定され得る。この実施例は、関数しか記憶される必要がないことからメモリを節約する。関数は、例えば、指数和又は多項式の項に対する重みのテーブルとして記憶され得る。その場合に、同時に変更される表示パラメータの値は、第１表示パラメータの値を入力し、表にされた重みを用いて多項式又は指数和を評価することによって計算され得る。
【００３２】
他の例においては、関係が、表示制御器２のメモリ中にルックアップテーブル中の一連のパラメータ値の組み合わせとして記憶され得る。この解決策は、主としてメモリからの値の取り出しを要求することから、より少ない処理能力しか要求しない。様々な品質のビデオ信号のために様々なルックアップテーブルが用いられ得る、又は様々な信号品質のために１つのルックアップテーブル内の様々な部分的な範囲(sub-ranges)が用いられ得る。ルックアップテーブル中に含まれるポイントのみ使用することが可能である。この場合に、第１パラメータの値は、ルックアップテーブル中の或る値からルックアップテーブル中の次の値に増大又は減少される。
【００３３】
他の例においては、表示制御器２は、ルックアップテーブル中に含まれない第１表示パラメータ値に対する他の表示パラメータの値を計算するために補間又は近似アルゴリズムを用いることが出来る。このようなアルゴリズムは、スプライン又はあらゆる他の既知の数学的手法を用いることが出来る。それは、表示制御器２において必要とされるメモリの量の面では節約になる。
【００３４】
パラメータ値の全ての新しい組み合わせに対して、画像が或る時間間隔の間現在の新しい表示設定に基づいて表示される。この時間間隔は、ユーザが画面６上の画質を評価することができ、ユーザが現在の新しい表示設定を維持するよう決定する場合にユーザが反応するための時間を持つのに十分な長さであるよう選ばれる。他方、この時間間隔は、方法全体が時間がかかり過ぎて実行できないほどには長くはないだろう。
【００３５】
新しい表示設定への変更がなされる場合に、例えば画面６上のアイコン１０の明滅によって、警告が供給される。この機能は、パラメータ値が非常に小さなインクリメントで変更される場合にとりわけ重要である。
【００３６】
パラメータ値がそれらの新しい値に維持される時間間隔の間にユーザが単一のボタン７又は８を押さない場合には、第１パラメータ値は再び増大又は減少される。ユーザがボタン７又は８を押す場合には、その時点に用いられているパラメータ値が通常見るのに用いられる新しい固定表示設定として記憶される。ここで、調節機能はもはやアクティブではない。
【００３７】
本発明が、上記の実施例に限定されず、添付されている特許請求の範囲の範囲内で多様に変更され得ることは当業者にとって明らかであろう。とりわけ、本発明はテレビに限定されない。本発明による方法は、コンピュータのモニタ、ＣＲＴディスプレイを備えるもの及びＬＣＤディスプレイを備えるものの両方を含む多数の他の表示装置において用いられ得る。他の表示装置は、画像が反射される画面上に画像を投影するプロジェクタ又はビーマ(beamer)を含む。画面と表示制御器とが、１つの装置内に含まれる必要はなく、別々であり得ることは明らかであろう。例えば、表示制御器はビデオカードの一部である。
【図面の簡単な説明】
【００３８】
【図１】本発明による表示装置の概略図を示す。
【図２】本発明によるテレビの非常に概略的な正面図を示す。
【図３】本発明による方法の実施例における幾つかの重要なステップを詳述するフローチャートを示す。
【図３】
2005506767.tif 000003
【国際公開パンフレット】
2005506767.tif 000004
2005506767.tif 000005
2005506767.tif 000006
2005506767.tif 000007
2005506767.tif 000008
2005506767.tif 000009
2005506767.tif 000010
2005506767.tif 000011
2005506767.tif 000012
2005506767.tif 000013
2005506767.tif 000014
2005506767.tif 000015
【国際調査報告】
2005506767.tif 000016
2005506767.tif 000017
2005506767.tif 000018